(57)【要約】【課題】  被洗浄ベアリングの取付けが容易で、しかも構造が簡単な、洗浄効果の高いベアリング洗浄装置を提供する。【解決手段】  洗浄室２内に被洗浄ベアリングの載置可能な回転テーブル３を設け、該被洗浄ベアリングに向けて洗浄水又は洗浄液を噴射するノズル９を具備したベアリング洗浄装置１において、前記回転テーブル３上に形成され、被洗浄ベアリングをその内輪において支持するベアリング支持手段の山形係止部１０と、前記回転テーブル３の回転と共に回転する被洗浄ベアリングの外周面にスプリング１２の弾発により圧接する押圧板１１とを具備するベアリング洗浄装置とした。【選択図】        図１
2005230607.tif 000002
【特許請求の範囲】
【請求項１】
洗浄室内に被洗浄ベアリングの載置可能な回転テーブルを設け、該被洗浄ベアリングに向けて洗浄水又は洗浄液を噴射するノズルを具備したベアリング洗浄装置において、前記回転テーブル上に係止し被洗浄ベアリングをその内輪において支持する支持手段と、前記回転テーブルの回転と共に回転する被洗浄ベアリングの外周面にスプリングの弾発により圧接する押圧板を具備していることを特徴とするベアリング洗浄装置。
【請求項２】
前記被洗浄ベアリングの支持手段は、十文字状に交差した板状体の交差部を上方へ向けて階段状の山形に突出させて多段の山形に形成すると共に、該多段の山形の各段の差し渡し幅をそれぞれ異なる内径の被洗浄ベアリングの各内径と一致するように形成した山形係止部からなることを特徴とする請求項１に記載のベアリング洗浄装置。
【請求項３】
前記山形係止部の各段の水平部の幅は、最大でも該階段部に支持される当該ベアリングの外輪部に該水平部がかからない程度の幅としたことを特徴とする請求項２に記載のベアリング洗浄装置。
【請求項４】
前記被洗浄ベアリングの支持手段は、前記山形係止部の複数個が前記回転テーブルと同心の同一円周上に配列されて、前記回転テーブル上に形成されていることを特徴とする請求項１乃至請求項３のいずれか１に記載のベアリング洗浄装置。
【請求項５】
前記回転テーブルは、テーブルの外縁を形成する環状枠体と、該環状枠体内に該環状枠体を支持するように設けた支持杆と、該支持杆に交差する格子状の前記板状体とからなることを特徴とする請求項１乃至請求項４のいずれか１に記載のベアリング洗浄装置。
【請求項６】
着脱可能な内輪を有する各種転がり軸受の、各内輪の外径に等しい外径を有する複数の円柱を階段状に積み重ねて段付きの円錐状の内輪アタッチメントに形成すると共に、該内輪アタッチメントを前記山形係止部に着脱可能に嵌着する構造に形成したことを特徴とする請求項１乃至請求項５のいずれか１に記載のベアリング洗浄装置。
【請求項７】
前記内輪アタッチメントは、外周部の半径方向に複数の切欠き部を有する構造としたことを特徴とする請求項６に記載のベアリング洗浄装置。
【請求項８】
前記内輪アタッチメントの各段の水平部の幅は、最大でも該階段部に支持される当該ベアリングのコロの直径の３分の１としたことを特徴とする請求項６又は請求項７に記載のベアリング洗浄装置。
【請求項９】
前記押圧板の圧接面に、弾性を有する摩擦材を貼付したことを特徴とする請求項１に記載のベアリング洗浄装置。
【発明の詳細な説明】
【技術分野】
【０００１】
本発明は車両その他の回転部材の軸受部に利用されているベアリングの洗浄装置に関する。
【背景技術】
【０００２】
従来のベアリング洗浄装置として、被洗浄ベアリングを回転テーブル上に載置し、被洗浄ベアリングの内外および上下から洗浄水を噴射して洗浄を行うベアリング洗浄装置において、前記回転テーブル上にその半径方向に直径の異なる被洗浄ベアリング内輪を支承可能な拡縮自在のベアリング内輪固定装置と、前記回転テーブル外に設置され、伸縮してベアリング外筒を押さえ、かつその回転を止め、前記外筒長さ方向に移動可能なベアリング固定装置からなり、前記ベアリング固定装置から洗浄水を噴射するようにしたものが知られている（例えば特許文献１参照。）。
【特許文献１】特開平１１−１３８１１１号公報
【発明の開示】
【発明が解決しようとする課題】
【０００３】
この従来のベアリング洗浄装置によれば、ベアリング内輪固定装置が拡縮自在に形成されていると共にベアリング固定装置が前記ベアリングの外筒長さ方向に移動可能に形成されていてるので、これら内輪固定装置の拡縮及びベアリング固定装置の移動のために拡縮機構や移動機構を必要とし、構造上複雑となる問題点があった。
【０００４】
本発明はこのような問題点を解消し構造を簡単にしたベアリング洗浄装置を提供することを目的とする。
【課題を解決するための手段】
【０００５】
この目的を達成すべく本発明は洗浄室内に被洗浄ベアリングの載置可能な回転テーブルを設け、該被洗浄ベアリングに向けて洗浄水又は洗浄液を噴射するノズルを具備したベアリング洗浄装置において、前記回転テーブル上に係止し被洗浄ベアリングをその内輪において支持する支持手段と、前記回転テーブルの回転と共に回転する被洗浄ベアリングの外周面にスプリングの弾発により圧接する押圧板を具備している。
【発明の効果】
【０００６】
本発明によれば、回転テーブルの回転と共に該回転テーブル上の被洗浄ベアリングに公転と自転をさせて汚れ落としを短時間で行なうことができると共に、被洗浄ベアリングの前記回転テーブルへの取付け取外しが容易であり、しかも構造が簡単なベアリング洗浄装置を提供できる効果を有する。
【発明を実施するための最良の形態】
【０００７】
本発明の最良の実施の形態の実施例を以下に説明する。
【実施例１】
【０００８】
本発明の実施例１を図１乃至図５により説明する。
【０００９】
１はベアリング洗浄装置、２は該ベアリング洗浄装置１の洗浄室を示し、該洗浄室２内に回転テーブル３が軸支されており、該回転テーブル３は、図２及び図３に示す如く円形の帯状体からなる環状枠体３ａと該環状枠体３ａに固定した十文字形の支持杆３ｂと該支持杆３ｂに交差する格子状の板状体３ｃとからなり、モータと減速機からなる回転駆動ユニット（図示せず）に連動して回転するように形成されている。尚、前記板状体３ｃの上部には後述する山形係止部１０が形成されている。
【００１０】
４は前記回転テーブル３の上方に配設した上側配管、５は該回転テーブル３の下方に配設した下側配管を示し、該上側配管４は中心の分配部から放射状に突出する枝管４ａからなり、これら枝管４ａのうち１本の枝管４ａの先端部に供給管６の先端部を接続すると共に残る枝管４ａの先端を閉塞した。
【００１１】
又前記下側配管５はＴ字状管継手５ａの２個所の接続口に枝管５ｂをそれぞれ接続してＬ字形の配管にし、これら枝管５ｂのうち一方の枝管５ｂの先端にエルボ管継手５ｄを介して垂直枝管５ｃを接続すると共に他方の枝管５ｂの先端及び該垂直枝管５ｃの先端を閉塞し、更に前記Ｔ字状管継手５ａの残る１つの接続口を前記供給管６に接続し、該供給管６の他端を給水立管を介してポンプ７の吐出口に接続すると共に該ポンプ７の吸入口を洗浄液タンク８の流出口に接続し、該洗浄液タンク８は前記洗浄室２の下方に設けた。
【００１２】
そして上側配管４の枝管４ａはその下面に、又下側配管５の枝管５ｂはその上面に、又垂直枝管５ｃ及び供給管６の垂直部はその内側側面にそれぞれ所定の間隔毎に噴射口９を設けた。
【００１３】
１０は山形係止部を示し、複数個の山形係止部１０が各々ベアリングの支持手段を形成している。
【００１４】
即ち山形係止部１０は、十文字状に交差した前記板状体３ｃの交差部を上方へ向けて階段状の山形に突出させて多段の山形係止部１０に形成すると共に、該山形係止部１０の各段の差し渡し幅を、それぞれ内径の異なるベアリングの各内径と一致するように形成した。
【００１５】
尚、前記山形係止部１０の各段は、それぞれ近似した内径を有する複数の種類のベアリングを支持するようにしてもよい。
【００１６】
又、これら山形係止部１０は、前記回転テーブル３の回転中心と同心の同一円周上に配列されるようにした。これは、後述する押圧板１１が各山形係止部１０に係止されているベアリングの外周部に、一様に当接するようにするためである。
【００１７】
１１は押圧板を示し、該押圧板１１はその両端部において前記洗浄室２内の側面にコイルスプリング等の伸縮弾発支持材１２を介して前記回転テーブル３の少許上方位置で支持されている。
【００１８】
該押圧板１１は横長の板状で、その前面には耐油性ゴム等の弾性材料からなる摩擦材１１ａが貼付されている。
【００１９】
１３は前記洗浄液タンク８の上面開口部に設置したフィルター、１４は前記洗浄室２の開閉蓋、１５は前記上側配管４の１本の枝管４ａの先端に固定したハンドルを示し、前記上側配管４が前記供給管６との接続部において回転可能に接続され、前記ハンドル１５の持ち上げ操作により前記上側配管４を起立状態にすることができる。
【００２０】
尚、１６はミストコレクターで、該ミストコレクター１６はベアリング洗浄後、洗浄室２内に浮遊する洗浄液のミストを吸引するための装置である。
【００２１】
次に上記洗浄装置１の作動について説明する。
【００２２】
予め洗浄液タンク８に所定量の洗浄液を収容しておく。その後開閉蓋１４を開けてからハンドル１５を持ち上げて上側配管４を起立状態にし、図５に示す如く、洗浄する玉軸受のベアリングＡを回転テーブル３の各山形係止部１０の上に載置する。
【００２３】
この時、各ベアリングＡの内輪Ｂは、前記山形係止部１０の何れかの段と係合して、安定に保持される。
【００２４】
その後ハンドル１５を下げて上側配管４を元の水平状態にしてから開閉蓋１４を閉じる。そしてスイッチパネル（図示せず）の設定温度ダイヤルを操作して洗浄液を所定の温度にしてから該スイッチパネルの洗浄スイッチをオンにする。
【００２５】
この操作によりモータ（図示せず）の駆動により回転テーブル３を回転させると共にポンプ７を作動して洗浄液タンク８内の昇温した洗浄液を上側配管４の枝管４ａの噴射口９、下側配管５の枝管５ｂ、５ｃ及び供給管６の垂直部の噴射口９より前記ベアリングＡに向けて噴射する。
【００２６】
このとき、各ベアリングＡは回転テーブル３の回転により公転しながら、押圧板１１の個所に至ると、各ベアリングＡの外輪にコイルスプリング１２の弾発力により加勢された押圧板１１が押圧接触し、かくて各ベアリングＡは公転しているのにもかかわらずその外輪が押圧板１１の接触中回転が規制されて、その結果該外輪が相対的に自転したことになり、各ベアリングＡは均等に洗浄液により付着したグリスや汚れが軟化及び流動化しながら除去して洗浄される。そして洗浄液はフィルター１３を介して洗浄液タンク８内に流下する。
【００２７】
尚、前記山形係止部１０の各段の水平部が各ベアリングの外輪と干渉しないようにしたので、前記外輪の自転がスムースに行なわれる。又、昇温した洗浄液を用いたので、ベアリングに付着したグリース類が軟化して落ち易い。
【００２８】
このようにして所定時間経過した後に洗浄タイマーの作動によりモータが停止して回転テーブル３を停止すると共にポンプ７の作動も停止して洗浄液の噴射も停止する。
【００２９】
そして、この洗浄停止と同時にミストコレクター１６が前述のように洗浄液のミストを吸引するので、所定時間経過後にミストタイマーの作動によりミストの吸引を停止する頃にはベアリングＡは自熱で乾燥している。
【００３０】
その後開閉蓋１４を開けると共に上側配管４を起立状態にして洗浄したベアリングＡを取り出す。
【００３１】
このように本発明のベアリング洗浄装置１は、回転テーブル３に係着したベアリングＡが公転すると共に自転するようにしたので、ベアリングＡの内部に付着した汚れの洗い出しの効果が大きく、更に又、前記回転テーブル３を格子状の孔明き構造とすると共に該回転テーブル３の上下両面及び側面から洗浄水又は洗浄液を噴射するようにしたので、短時間の内に効率良くベアリングの洗浄を行なうことができる特徴を有している。
【実施例２】
【００３２】
本発明の実施例２を図６及び図７により説明する。
【００３３】
本実施例は、着脱可能な内輪を有する各種転がり軸受のベアリングの洗浄を行なうための装置である。
【００３４】
図６は内輪アタッチメント１７の斜視図を示し、該内輪アタッチメント１７は、内輪を取外し可能な転がり軸受のベアリングの各内輪の外径に等しい外径を有する円柱を階段状に積み重ねて、段付きの円錐状に形成されている。
【００３５】
図７は該内輪アタッチメント１７の一部截断の側面図である。
【００３６】
該内輪アタッチメント１７は、内側に図７に示す如き穴部１７ａを有して、実施例１で示したベアリング洗浄装置１の山形係止部１０の上に該穴部１７ａで嵌着するように形成されていると共に、該内輪アタッチメント１７の外周部の半径方向に複数の切欠き部（スリット）１７ｂを有している。
【００３７】
そして、該切欠き部１７ｂと前記穴部１７ａとが重なった部分に該内輪アタッチメント１７を挿通する空隙部１７ｃが形成されている。
【００３８】
次に本実施例２の使用方法について説明する。
【００３９】
内輪の着脱可能な転がり軸受を洗浄するときは、前記ベアリング洗浄装置１の、前記山形係止部１０に内輪アタッチメント１７を嵌着し、その上に内輪を外した転がり軸受のベアリングＣを載置して、前記実施例１と同様の方法で洗浄作業を行なう。
【００４０】
内輪アタッチメント１７の外周部には、複数の切欠き部１７ｂがあって、洗浄水又は洗浄液が該切欠き部１７ｂ及び前記空隙部１７ｃを通って流れるので、ベアリングＣの洗浄が効率良く行なわれる。
【００４１】
尚、内輪アタッチメント１７の各段の水平部の幅を、該階段部に支持されている当該ベアリングＣのコロの直径の３分の１以下としたので、該コロを保持するケージと該階段の水平部とが干渉することはない。
【産業上の利用可能性】
【００４２】
本発明は、車両整備工場等において、車両やエンジンから取外したベアリングの洗浄に用いられる。
【図面の簡単な説明】
【００４３】
【図１】実施例１のベアリング洗浄装置の側面図である。
【図２】前記ベアリング洗浄装置の一部、回転テーブルの斜視図である。
【図３】前記ベアリング洗浄装置の一部の平面図である。
【図４】前記ベアリング洗浄装置の内部構造を示す説明図である。
【図５】前記ベアリング洗浄装置の使用方法の説明図である。
【図６】実施例２のベアリング洗浄装置の一部、内輪アタッチメントの斜視図である。
【図７】前記内輪アタッチメントの一部截断側面図である。
【符号の説明】
【００４４】
１      ベアリング洗浄装置
３      回転テーブル
３ａ    環状枠体
３ｂ    支持杆
３ｃ    板状体
９      ノズル
１０    山形係止部
１１    押圧板
１１ａ  摩擦材
１２    スプリング
１７    内輪アタッチメント
１７ｂ  切欠き部
【図１】
2005230607.tif 000003
【図２】
2005230607.tif 000004
【図３】
2005230607.tif 000005
【図４】
2005230607.tif 000006
【図５】
2005230607.tif 000007
【図６】
2005230607.tif 000008
【図７】
2005230607.tif 000009